(57)【要約】【課題】配管の位置に関わらず水回り設備を自由に配置できるユーザによる居住空間のプランニングを支援する機能を有する表示装置を提供する。【解決手段】表示装置は、居住空間を示す居住空間画像を表示する居住空間表示部と、複数種類の水回り設備を組み合わせることができる集約設備を示す集約設備画像を表示する集約設備表示部と、居住空間のユーザによる操作に基づいて、居住空間画像が示す居住空間内における集約設備画像の表示位置を変更する変更部と、を備える。【選択図】図３
2018018278.tif 000002
【特許請求の範囲】
【請求項１】
居住空間を示す居住空間画像を表示する居住空間表示部と、
複数種類の水回り設備を組み合わせることができる集約設備を示す集約設備画像を表示する集約設備表示部と、
前記居住空間のユーザによる操作に基づいて、前記居住空間画像が示す居住空間内における前記集約設備画像の表示位置を変更する変更部と、
を備える表示システム。
【請求項２】
前記変更部は、前記居住空間の床下に存在する排水管の存在しない場所に、前記集約設備画像の位置を変更する、
請求項１に記載の表示システム。
【請求項３】
複数種類の水回り設備の組み合わせ、及び、組み合わせ方を決定する集約設備決定部と、
前記集約設備決定部が決定した組み合せ、及び、組み合わせ方に基づいて、前記集約設備画像を生成する集約設備画像生成部と、さらに備え、
前記集約設備表示部は、前記集約設備画像生成部が生成した集約設備画像を表示する、
請求項１または請求項２に記載の表示システム。
【請求項４】
前記変更部は、前記ユーザによる操作に基づいて、前記居住空間内において、前記集約設備画像の向きを回転させて表示する、
請求項１から請求項３の何れか１項に記載の表示システム。
【請求項５】
家具を示す家具画像を表示する家具表示部、をさらに備え、
前記変更部は、前記ユーザによる操作に基づいて、前記居住空間画像が示す居住空間内において、前記集約設備画像と前記家具画像の位置を変更する、
請求項１から請求項４の何れか１項に記載の表示システム。
【請求項６】
前記ユーザが決定した前記集約設備の組み合わせを含む情報を、前記集約設備のメーカの受注予測システムへ送信する通信部、
をさらに備える請求項１から請求項５の何れか１項に記載の表示システム。
【請求項７】
表示システムのコンピュータを、
居住空間を示す居住空間画像を表示する手段、
複数種類の水回り設備を組み合わせた集約設備を示す集約設備画像を表示する手段、
前記居住空間のユーザによる操作に基づいて、前記居住空間画像が示す居住空間内における前記集約設備画像の表示位置を変更する手段、
として機能させるためのプログラム。
【発明の詳細な説明】
【技術分野】
【０００１】
本発明は、表示システム及びプログラムに関する。
【背景技術】
【０００２】
従来から、居住空間のレイアウトをプランニングするシミュレーション装置が提供されている。例えば、特許文献１には、飲食店が自由かつ簡単に座席のレイアウトを作成することができるフロアレイアウト作成支援システムについて記載されている。この技術を用いると、飲食店は、フロアレイアウト作成支援システムにフロアのサイズ、座席数、個室数、テーブルの形などの情報を登録し、各テーブルをどこに配置するかを指定することで、自分の店のフロアレイアウトを簡単に作成することができる。また、特許文献１には、作成したフロアレイアウトの情報を、その飲食店の顧客が座席を予約するための予約システムと連動させることが記載されている。
【先行技術文献】
【特許文献】
【０００３】
【特許文献１】特開２００６−３１３４７２号公報
【発明の概要】
【発明が解決しようとする課題】
【０００４】
しかし、一般的にトイレ、浴室、洗面所等の水回り設備は、配管の位置の制約を受けるため、所望の位置に配置することができない。例えば、特許文献１等のシミュレーション装置においてもテーブルの配置は自由にできるが、水回り設備は自由に配置することができない。これに対し、ユーザが居住空間のレイアウトをプランニングする場合、水回り設備を含めて自由に配置したいというニーズがあった。
【０００５】
そこでこの発明は、上述の課題を解決することのできる表示システム及びプログラムを提供することを目的としている。
【課題を解決するための手段】
【０００６】
本発明の一態様は、居住空間を示す居住空間画像を表示する居住空間表示部と、複数種類の水回り設備を組み合わせることができる集約設備を示す集約設備画像を表示する集約設備表示部と、前記居住空間のユーザによる操作に基づいて、前記居住空間画像が示す居住空間内における前記集約設備画像の表示位置を変更する変更部と、を備える表示システムである。
【０００７】
また、本発明の一態様では、前記変更部は、前記居住空間の床下に存在する排水管の存在しない場所に、前記集約設備画像の位置を変更する。
【０００８】
また、本発明の一態様における前記表示システムは、複数種類の水回り設備の組み合わせ、及び、組み合わせ方を決定する集約設備決定部と、前記集約設備決定部が決定した組み合せ、及び、組み合わせ方に基づいて、前記集約設備画像を生成する集約設備画像生成部と、さらに備え、前記集約設備表示部は、前記集約設備画像生成部が生成した集約設備画像を表示する。
【０００９】
また、本発明の一態様では、前記変更部は、前記ユーザによる操作に基づいて、前記居住空間内において、前記集約設備画像の向きを回転させて表示する。
【００１０】
また、本発明の一態様における前記表示システムは、家具を示す家具画像を表示する家具表示部、をさらに備え、前記変更部は、前記ユーザによる操作に基づいて、前記居住空間画像が示す居住空間内において、前記集約設備画像と前記家具画像の位置を変更する。
【００１１】
また、本発明の一態様における前記表示システムは、前記ユーザが決定した前記集約設備の組み合わせを含む情報を、前記集約設備のメーカの受注予測システムへ送信する通信部、をさらに備える。
【００１２】
また、本発明の一態様は、表示システムのコンピュータを、居住空間を示す居住空間画像を表示する手段、複数種類の水回り設備を組み合わせた集約設備を示す集約設備画像を表示する手段、前記居住空間のユーザによる操作に基づいて、前記居住空間画像が示す居住空間内における前記集約設備画像の表示位置を変更する手段、として機能させるためのプログラムである。
【発明の効果】
【００１３】
本発明によれば、ユーザは、水回り設備を含む設備や家具を、自由に配置して、居住空間のレイアウトをプランニングすることができる。
【図面の簡単な説明】
【００１４】
【図１】本発明の一実施形態における居住空間プランニングシステムの概略図である。
【図２】本発明の一実施形態における集約設備の斜視図である。
【図３】本発明の一実施形態における表示装置の機能ブロック図である。
【図４】本発明の一実施形態における表示装置が表示する画像の一例を示す第一の図である。
【図５】本発明の一実施形態における集約設備への水回り設備の組み合わせ方の一例を示す図である。
【図６】本発明の一実施形態における表示装置が表示する画像の一例を示す第二の図である。
【図７】本発明の一実施形態における表示装置が表示する画像の一例を示す第三の図である。
【図８】本発明の一実施形態における表示装置の処理の一例を示すフローチャートである。
【図９】本発明の一実施形態における居住空間プランニングシステムの処理の一例を示すフローチャートである。
【発明を実施するための形態】
【００１５】
＜実施形態＞
以下、本発明の一実施形態による表示システムを図１〜図９を参照して説明する。
図１は、本発明の一実施形態における居住空間プランニングシステムの概略図である。
居住空間プランニングシステム１は、住居の新築や改築を行うユーザ１Ａ（施主）が、新たな居住空間をプランニングするために用いるシステムである。居住空間プランニングシステム１は、表示装置１０とプランニング情報管理装置２０とを含んで構成される。表示装置１０とプランニング情報管理装置２０とはネットワーク（ＮＷ）を介して通信可能に接続されている。表示装置１０は、例えば、タブレット端末等の携帯端末装置やＰＣ（Personal Computer）等で構成されている。プランニング情報管理装置２０は、例えば、ＰＣやサーバ端末装置で構成されている。
【００１６】
表示装置１０は、ユーザ１Ａの居住空間を２Ｄまたは３Ｄの画像（居住空間画像）で表示し、その居住空間画像上の任意の位置に、水回り設備や家具の画像を重ねて表示する機能を提供する。ユーザ１Ａは、表示装置１０の提供する機能を用いて、所望の居住空間をプランニングする。本実施形態では、ユーザ１Ａは、複数種類の水回り設備を組み合わせることができる集約設備を所望の位置に配置して、居住空間のレイアウトをプランニングする。一般にトイレ、浴槽、キッチン等の水回り設備は、配管（床下配管）の設置状況により、自由な位置に配置することができない。しかし、本実施形態に係る集約設備は、配管の設置状況に関係なく、自由に配置することができる。ユーザは、表示装置１０を用いて、水回り設備を含む様々な設備、家具などを自由に配置し、所望の居住空間をシミュレーションすることができる。表示装置１０は、ユーザ１Ａがプランニングした居住空間のレイアウト情報を、ネットワークを介して、プランニング情報管理装置２０へ送信する。レイアウト情報には、例えば、居住空間全体の広さ、間取り、ユーザ１Ａが配置した水回り設備（集約設備）や家具等の種類、それらの配置位置、配置方向等の情報が含まれる。
【００１７】
プランニング情報管理装置２０は、ユーザ１Ａによるレイアウト情報を取得し、そのレイアウト情報を記憶する。プランニング情報管理装置２０は、例えば集約設備のメーカが所有する（又は管理する）情報処理装置である。メーカの従業員２Ａは、プランニング情報管理装置２０が記憶するレイアウト情報を参照することによって、ユーザ１Ａがどのような集約設備を購入し、自宅に配置しようとしているのか、また、居住空間のどの位置にどのような方向に集約設備を配置しようとしているのかをリアルタイムに把握し、例えば、集約設備の新たな受注が発生するかどうかの判断に役立てることができる。次に集約設備について説明する。
【００１８】
図２は、本発明の一実施形態における集約設備の斜視図である。
図２に集約設備３０の一例を示す。集約設備３０は、給排水管等３１と、圧送ポンプ３２と、起立ユニット３３と、天井ユニット３４と、水洗便器３５と、浴槽３６とを備える。床面から起立する起立ユニット３３と天井ユニット３４とは略Ｌ字形に形成されている。起立ユニット３３は例えばインフラタワーであり、水平断面が縦横方向にそれぞれ所定幅を有する中空の筒体で形成され、床面から自立して鉛直方向に延びている。天井ユニット３４は略水平方向に配設された筒体で形成され、起立ユニット３３の上端部に一端が連結され他端部は躯体壁６に連結されている。天井ユニット３４は図示しない天井面をなす天井スラブの梁からわずかに隙間を開けて下側に設置されているが、天井面に当接して設置してもよい。天井ユニット３４や起立ユニット３３は例えば四角筒枠等のフレームをパネルで覆った筒状にした構成でもよいし、高剛性パネルだけで四面を形成したフレームレス構造でもよい。起立ユニット３３や天井ユニット３４は略四角形筒状に限定されるものではなく、略円筒状や他の多角形筒状等、その断面形状は任意に設定できる。
【００１９】
例えば起立ユニット３３及び天井ユニット３４と躯体壁６で仕切られた空間内には起立ユニット３３に支持された浴槽３６が設置されている。浴槽３６は、起立ユニット３３に対して例えば起立及び倒伏可能に連結されている。浴槽３６は、図２に示すように床面２上に載置した倒伏状態で入浴可能であり、起立ユニット３３に略平行に起立した状態で格納される可動浴槽である。また、起立ユニット３３の浴槽３６と反対側の側面には例えば水洗便器３５が起立及び倒伏可能に連結されている。水洗便器３５は起立ユニット３３における床面より高い位置に回動可能に設置され、水平に倒れた状態で使用可能であり、起立ユニット３３に平行に起立した状態で格納されている。
【００２０】
なお、起立ユニット３３には、圧送ポンプ３２と給排水管等３１が納められている。圧送ポンプ３２は、水洗便器３５や浴槽３６の排水を圧送する。給排水管等３１には、給水管、給湯管、排水管、ダクト、電気配線等が含まれている。例えば、排水管は、圧送ポンプ３２によって圧送された排水を天井ユニット３４側へ送出する。天井ユニット３４には、給水管、給湯管、排水管、ダクト、電気配線等が格納されている。天井ユニット３４に格納された配管の各々は、住居に備えられたパイプシャフトに格納された給水管や排水管にそれぞれ接続されている。このように、集約設備３０への給排水は、パイプシャフト、起立ユニット３３、天井ユニット３４に格納された給排水管を通じて行われる。一般的に水回り設備は、床下の配管類の位置を考慮して設置される為、自由な位置に設置することはできない。しかし、集約設備３０を利用すれば、天井側を経由してパイプシャフトに接続することができるので、床下の配管位置に関係なく、自由な位置に水回り設備を配置することができる。また、集約設備３０の設置に際しては、天井側を経由した配管類の接続を行うだけでよく、従来の水回り設備の設置作業に比べ、簡単かつ迅速に行うことができる。なお、天井ユニット３４の長さや形状は、ユーザが集約設備３０を配置する位置と、住居に備えられたパイプシャフトとの位置関係に応じて、柔軟に設計、生産することができる。
【００２１】
なお、図２の例では、集約設備３０は、水回り設備として、水洗便器３５、浴槽３６を備えているが、このほかにもキッチン、洗面台などを備えていてもよい。このように、本実施形態に係る集約設備３０は、複数種類の水回り設備をコンパクトに集約したものであって、設置するにも比較的小さなスペースがあればよく、また、自由な位置に設置することができる。表示装置１０は、集約設備３０の特質を利用して、ユーザ１Ａに対して制約無く、自由に居住空間のレイアウトをプランニングできる機能を提供する。
【００２２】
図３は、本発明の一実施形態における表示装置の機能ブロック図である。
図示するように表示装置１０は、入出力部１１、通信部１２、記憶部１３、制御部１４を備えている。
入出力部１１は、マウス、キーボード、タッチパネルなどの入力装置や、液晶ディスプレイなどの表示装置を含む。入出力部１１は、ユーザによる、集約設備３０等を設置する位置の情報の入力等を受け付ける。また、入出力部１１は、表示装置１０において生成される各種画像を表示する。
通信部１２は、他装置とのデータ通信を行う。
記憶部１３は、ＲＯＭ、ＲＡＭ、フラッシュメモリなどの記憶媒体である。記憶部１３は、例えばＣＰＵ（Ｃｅｎｔｒａｌ  Ｐｒｏｃｅｓｓｉｎｇ  Ｕｎｉｔ）によって実行される各種プログラムなどの種々の情報を記憶する。
制御部１４は、例えば、ＣＰＵを備えており、プログラムを実行することにより備わる各種機能によって表示装置１０を制御する。
【００２３】
例えば、制御部１４は、居住空間表示部１４１と、集約設備決定部１４２と、集約設備画像生成部１４３と、集約設備表示部１４４と、家具表示部１４５と、変更部１４６と、空間区分表示部１４７と、支援情報表示部１４８と、配置位置評価部１４９と、提案情報表示部１５０とを備えている。
居住空間表示部１４１は、居住空間を示す居住空間画像を表示する。
集約設備決定部１４２は、ユーザ１Ａの操作に基づいて、複数種類の水回り設備の組み合わせ、及び、組み合わせ方を決定する。複数種類の水回り設備とは、例えば、水洗便器、浴槽、キッチン、洗面台などである。水回り設備の組み合わせ方とは、起立ユニット３３のどの面に、どの水回り設備を設置するかを決定することである。
集約設備画像生成部１４３は、集約設備決定部１４２が決定した組み合せ、及び、組み合わせ方に基づく集約設備の画像（集約設備画像）を生成する。
集約設備表示部１４４は、集約設備画像生成部１４３が生成した集約設備画像を表示する。
家具表示部１４５は、家具を示す家具画像を表示する。
変更部１４６は、ユーザによる操作に基づいて、居住空間画像が示す居住空間内における集約設備画像、家具画像の表示位置を変更する。特に本実施形態において、変更部１４６は、居住空間の床下に存在する給排水管の存在しない場所であっても集約設備画像を表示することができる。また、変更部１４６は、ユーザによる操作に基づいて、集約設備画像の向きを回転させて表示することができる。また、変更部１４６は、ユーザによる操作に基づいて、集約設備３０に設置された水回り設備の起立及び倒伏を切り替えた集約設備画像を表示することができる。
空間区分表示部１４７は、ユーザ１Ａによる操作に基づいて、居住空間のゾーニングを行い、ゾーニング後の各領域を他の領域と異なる態様で表示する。
支援情報表示部１４８は、ユーザ１Ａによるプランニングを支援する様々な情報を表示する。
配置位置評価部１４９は、ユーザ１Ａが配置した集約設備３０や家具の位置に対して、適切かどうかを判定し、警告情報やアドバイス情報を表示する。
提案情報表示部１５０は、他のユーザが行ったプランニングの事例等を参考情報として表示する。
なお、居住空間表示部１４１、集約設備決定部１４２、集約設備画像生成部１４３、集約設備表示部１４４、家具表示部１４５、変更部１４６、空間区分表示部１４７、支援情報表示部１４８、配置位置評価部１４９、提案情報表示部１５０の各々は、表示装置１０が備えるＣＰＵが記憶部１３に記録されたプログラムを実行することによって制御部１４に備わる機能である。
次に表示装置１０が提供する居住空間のプランニング機能について説明する。
【００２４】
図４は、本発明の一実施形態における表示装置が表示する画像の一例を示す第一の図である。
図４に居住空間表示部１４１が表示した居住空間画像の一例を示す。例えば、ユーザ１Ａは、新築や改築を行う居住空間の間取り情報を、入出力部１１を介して、表示装置１０に入力する。居住空間表示部１４１は、入力された間取り情報に基づいて、居住空間を３Ｄ（又は２Ｄ）で示した画像を生成し、その画像を表示装置１０の表示画面（入出力部１１）に表示する。
次にユーザ１Ａは、居住空間に集約設備３０を配置する。まず、ユーザ１Ａは、集約設備３０に設置する水回り設備を設定する。
【００２５】
図５は、本発明の一実施形態における集約設備への水回り設備の組み合わせ方の一例を示す図である。
図５（ａ）に、起立ユニット３３の周囲に水洗便器３５、浴槽３６、洗面台３７、キッチン３８を設置した場合の集約設備３０を示す。
図５（ｂ）に、起立ユニット３３の周囲に水洗便器３５、浴槽３６、洗面台３７を設置した場合の集約設備３０を示す。
図５（ｃ）に、起立ユニット３３の周囲に水洗便器３５、浴槽３６を設置した場合の集約設備３０を示す。
例えば、集約設備決定部１４２は、表示画面の中央に起立ユニット３３を示すブロック状の画像を表示する。また、集約設備決定部１４２は、水洗便器３５、浴槽３６、洗面台３７、キッチン３８のそれぞれを示すブロック状の画像を、例えば表示画面の外縁付近に表示する。その状態から、ユーザ１Ａは、集約設備３０に設置する水回り設備を選択する。例えば、ユーザ１Ａは、表示画面の外縁付近に表示されたブロック状の画像の中から、集約設備３０に設置する水回り設備に対応するものを、タッチ操作によって選択する。そして、ユーザ１Ａは、選択した水回り設備の設置位置を決定する。例えば、ユーザ１Ａは、設置位置を決定する対象となる水回り設備に対応するブロック状の画像を再びタッチし、続いて表示画面中央に表示された起立ユニット３３の画像（ブロック状の画像）の周囲のうち、その水回り設備を設置する側の位置をタッチする操作を行う。すると、集約設備決定部１４２は、ユーザ１Ａがタッチした側に選択した水回り設備を設置した画像（ブロック状画像の集まり）を表示する（例えば、図５（ａ）〜図５（ｃ）に例示する集約設備３０と同様の画像）。
【００２６】
なお、図５（ａ）〜図５（ｃ）に示す組み合わせ方は一例である。例えば、図５（ａ）において、浴槽３６と洗面台３７の設置位置を入れ替えてもよい。また、例えば、図５（ｂ）において、洗面台３７の代わりにキッチン３８を設置してもよい。また、例えば、図５（ｃ）において、浴槽３６の設置位置に、代わりに洗面台３７を設置してもよい。
【００２７】
このようにして、ユーザ１Ａは、集約設備３０に設置する水回り設備（組み合わせ）とその設置位置（組み合わせ方）を入力する。入力が完了すると、集約設備決定部１４２は、複数種類の水回り設備の組み合わせ、及び、組み合わせ方を決定する。集約設備画像生成部１４３は、集約設備決定部１４２が決定した水回り設備を有した集約設備３０の画像を生成し、集約設備表示部１４４が、その画像を表示画面に表示する。
【００２８】
図６は、本発明の一実施形態における表示装置が表示する画像の一例を示す第二の図である。
図６に、居住空間画像、及び、集約設備画像生成部１４３が生成し、集約設備表示部１４４が表示した集約設備画像３０Ａの一例を示す。
図６に示す集約設備画像３０Ａは、図５（ａ）で例示した水洗便器３５、浴槽３６、洗面台３７、キッチン３８を設置した場合の集約設備３０を示す画像である。
例えば、集約設備表示部１４４は、集約設備画像生成部１４３が生成した集約設備画像３０Ａを、居住空間画像の中央付近に表示する。ユーザ１Ａは、集約設備画像３０Ａを任意の位置へ移動させたり、回転させたりすることができる。例えば、表示装置１０の表示画面がタッチパネルの場合、ユーザ１Ａは、集約設備画像３０Ａをタッチしたまま、所望の位置へドラッグして指を離す。すると、変更部１４６は、集約設備画像３０Ａの表示位置をユーザ１Ａが指定した位置（指を離した位置）に変更する。また、集約設備画像３０Ａを回転させる場合、例えば、ユーザ１Ａは、１本の指で、集約設備画像３０Ａの中央付近の位置にタッチし、別の指で集約設備画像３０Ａの一部に触れて、中央付近にタッチした指を中心として所望の方向に回転させる。すると、変更部１４６は、集約設備画像３０Ａの配置方向をユーザ１Ａが指定した方向に指定した角度だけ回転させて表示する。
また、上述のように、例えば、水洗便器３５、浴槽３６は、起立及び倒伏が可能である。ユーザ１Ａが、例えば、集約設備画像３０Ａの一部を構成する浴槽３６の画像のうち可動側を持ち上げる操作を行うと、変更部１４６は、浴槽３６が起立状態となった集約設備画像３０Ａの画像を表示してもよい。
【００２９】
図７は、本発明の一実施形態における表示装置が表示する画像の一例を示す第三の図である。
図７に示す集約設備画像３０Ａは、図６に示した集約設備画像３０Ａをユーザ１Ａの操作に基づいて回転して表示したものである。
また、図７に示す居住空間の画像には、机、椅子、ソファー、ベッド等の家具が表示されている。例えば、記憶部１３には、様々な家具の画像が記録されている。そして、ユーザ１Ａが、自らが所有する家具の種類、サイズ情報等を、入出力部１１を介して表示装置１０に入力すると、家具表示部１４５は、入力された情報に基づいて、記憶部１３から適切な家具の画像を読み出して家具画像を生成し、居住空間内の所定の位置に家具画像を表示する。集約設備画像３０Ａと同様、ユーザ１Ａは、家具画像を所望の位置に移動したり、回転させたりする操作を行う。すると、変更部１４６は、家具画像をユーザ１Ａが指定した位置や方向に変更して表示する。
このように、表示装置１０は、集約設備画像３０Ａ、家具画像を様々な方向に任意の量だけ回転させたり、移動させたりした場合の居住空間を表示することができるので、ユーザ１Ａは、見栄えや使い勝手が満足できるレイアウトとなるまで、集約設備３０等の設置位置や設置方向を繰り返しシミュレーションし、プランニングすることができる。
【００３０】
また、ユーザ１Ａが居住空間をゾーニングする操作を行った場合、空間区分表示部１４７は、その操作に基づいて区分された空間を、例えば、他の空間とは異なる色で表示する。例えば、居住空間全体を、リビング、ダイニング、寝室、書斎、子供の部屋にゾーニングする場合、ユーザ１Ａは、各用途として使用する空間の範囲（領域）を指で囲んで指定する。そして、指定した各領域の一つ一つに対して、その領域の用途を対応付ける入力操作を行う（例えば、領域の一つをタッチ操作で選択して、その領域の用途として「リビング」という文字入力を行う等）。すると、空間区分表示部１４７は、例えば、その領域に、予め「リビング」に対応付けられた色を付して表示する（例えば、図７の領域４０）。このようにユーザ１Ａは、まず、リビング、ダイニング等をゾーニングしたうえで、集約設備画像３０Ａをゾーニング後の各領域に合うように配置することもできる。
【００３１】
次に、ユーザ１Ａが居住空間のレイアウトのプランニングを行う際の表示装置１０の処理の一例について説明する。
図８は、本発明の一実施形態における表示装置の処理の一例を示すフローチャートである。
前提として、ユーザ１Ａは、例えば集約設備３０を製造販売するメーカのＷｅｂサイトから、居住空間のプランニングに用いるアプリケーションプログラムをダウンロード等して、自分の所有するタブレット端末等にインストールしている。このタブレット端末が表示装置１０である。また、Ｗｅｂサイトからダウンロードした情報には、他のユーザによる集約設備３０を含むレイアウトのプランニング例の情報が含まれており、他のユーザによるプランニング例はそのユーザの家族構成や間取り情報と対応付けて記憶部１３に記録されている。
【００３２】
まず、ユーザ１Ａがアプリケーションプログラムを起動し、例えば、プランニングの開始を指示する操作を行う。すると、支援情報表示部１４８は、ユーザ１Ａの属性情報の入力を促す入力画面の画像を表示する。例えば、支援情報表示部１４８は、「これからプランニングする居住空間で生活する方の家族構成を入力してください」等のメッセージを含む画像を表示する。ユーザ１Ａは、例えば、「世帯主  ＸＸ才」、「配偶者  ＸＸ才」、「第１子  ＸＸ才」、「第２子  ＸＸ才」等の情報を入力する。入出力部１１は、ユーザ１Ａが入力した家族構成などの属性情報を取得し（ステップＳ１１）、記憶部１３に記録する。ユーザ１Ａが入力した属性情報は、例えば、同じような家族構成を有する他のユーザが行ったプランニングの事例などを、参考情報として提示するために使用される。
【００３３】
次に支援情報表示部１４８は、ユーザ１Ａがプランニングを行う居住空間の間取り情報の入力を促す入力画面の画像を表示する。例えば、支援情報表示部１４８は、ユーザ１Ａが、リビング、玄関、キッチンなどの間取りを構成する部品を選択して自由に配置することができるインターフェースを表示してもよい。あるいは、支援情報表示部１４８は、典型的な間取りのサンプルの中から、ユーザ１Ａに自分の居住空間に類似した間取りを選択させるインターフェースを表示してもよい。ユーザ１Ａは、これからプランニングする居住空間の間取り情報を入力する。入出力部１１は、ユーザ１Ａが入力した間取り情報を取得し（ステップＳ１２）、記憶部１３に記録する。ユーザ１Ａが入力した間取り情報は、居住空間表示部１４１が、居住空間画像を表示するために用いる。
【００３４】
次に支援情報表示部１４８は、ユーザ１Ａの近い将来のライフプランの入力を促す入力画面の画像を表示する。例えば、支援情報表示部１４８は、ユーザ１Ａが近い将来に、結婚、出産、親と同居などの予定がないかを入力する画面を表示する。ユーザ１Ａは、これらのイベントが近い将来予定されているかどうかを入力する。入出力部１１は、ユーザ１Ａが入力した近い将来のライフプランの情報を取得し（ステップＳ１３）、記憶部１３に記録する。ユーザ１Ａが入力した近い将来のライフプラン情報は、ユーザ１Ａに近い将来の居住空間のレイアウトを提案するために用いることができる。
【００３５】
次に支援情報表示部１４８は、ユーザ１Ａが使用している家具の情報の入力を促す入力画面の画像を表示する。例えば、ユーザ１Ａは、自らが所有する家具の種類、サイズ等の情報を入力する。入出力部１１は、ユーザ１Ａが入力した家具の情報を取得し（ステップＳ１４）、記憶部１３に記録する。ユーザ１Ａが入力した家具の情報は、家具表示部１４５が、家具画像を表示するために用いる。
【００３６】
次に支援情報表示部１４８は、集約設備３０に設置する水回り設備の選択や、選択した水回り設備をどの方向に設置するかの入力を促す入力画面の画像を表示する。支援情報表示部１４８は、例えば、図５を用いて説明したような画面を表示する。ユーザ１Ａは、集約設備３０に設置する水回り設備の組み合わせや、その組み合わせ方を入力する。入出力部１１は、ユーザ１Ａが入力した集約設備３０の情報を取得し、集約設備決定部１４２に出力する。集約設備決定部１４２は、集約設備を決定する（ステップＳ１５）。
【００３７】
次に表示装置１０は、ユーザの操作に応じて、居住空間のプランニング処理を行う（ステップＳ１６）。
具体的には、まず居住空間表示部１４１が、ユーザ１Ａが入力した間取り情報に基づいて、居住空間画像を表示画面に表示する。また、集約設備表示部１４４が、集約設備画像３０Ａを表示画面に表示する。ユーザ１Ａが、集約設備３０の位置を変更したり、回転させたりする操作を行うと、変更部１４６が、集約設備画像３０Ａの配置位置や向きを変更して表示する。
このとき、提案情報表示部１５０は、他のユーザによるプランニング例を、ユーザ１Ａが入力した家族構成などの属性情報又は間取り情報又は近い将来のライフプラン情報のうちの少なくとも一方に基づいて、記憶部１３から読み出し、それらの一覧を表示画面に表示してもよい。ユーザ１Ａは、自分と似た家族構成、あるいは、自分の居住空間と似た間取りを有する他のユーザによるプランニング例を参考にしながら、集約設備３０を配置する位置を決めることができる。
【００３８】
また、家具表示部１４５は、ユーザ１Ａが入力した家具情報に基づいて、家具画像を表示する。ユーザ１Ａが、それぞれの家具の位置を変更したり、回転させたりする操作を行うと、変更部１４６が、操作の対象となった家具画像の配置位置や向きを変更して表示する。家具の場合も、ユーザ１Ａは、提案情報表示部１５０が表示する他のユーザによるプランニング例を参考にしながら、様々な家具の配置を試すことができる。
また、ユーザ１Ａが居住空間をゾーニングする操作を行うと、空間区分表示部１４７は、ゾーニングされた各領域に、他の領域とは違う色を付して表示する。ユーザ１Ａは、各領域の配置に応じて、集約設備３０の配置位置や向きを調整することができる。例えば、ユーザ１Ａは、集約設備３０のキッチン３８が設置された面をダイニングに向くように調整してもよい。あるいは、ユーザ１Ａは、水洗便器３５、または、洗面台３７が寝室の近くになるように集約設備３０を配置してもよい。
【００３９】
また、ユーザ１Ａは、例えば、浴槽３６の起立、倒伏を切り替えて、誰かが入浴している場合と誰も入浴していない場合との空間の使い勝手の違いを試すことができる。また、ユーザ１Ａは、例えば図５で例示した画面を呼び出して、ステップＳ１５で設定した集約設備３０に設置する水回り設備の一部を変更する操作を行ってもよい。その場合、ユーザ１Ａの選択操作に基づいて、集約設備決定部１４２が、水回り設備の組み合わせ、及び、組み合わせ方を決定し、集約設備画像生成部１４３は、新たな組み合わせによる集約設備画像３０Ａを生成する。そして、集約設備表示部１４４は、新たな集約設備画像３０Ａを、水回り設備を変更する前に表示されていた位置に表示する。
【００４０】
また、変更部１４６が、ユーザ１Ａの操作に基づいて、集約設備３０や家具の配置を変更すると、配置位置評価部１４９が、家具と壁の間の間隔、家具と集約設備３０の間の間隔、壁と集約設備３０の間の間隔を、それぞれが配置された位置の座標情報に基づいて計算し、計算した間隔が所定の値よりも狭くなれば、その空間が狭くて通りにくい、使いにくい空間になることを警告する表示を行ってもよい。あるいは、記憶部１３に予め警告情報を表示すべき、集約設備３０と家具との位置関係や、集約設備３０とゾーニング後の領域との位置関係等の情報が記録されていて、配置位置評価部１４９は、この位置関係の情報（例えば、集約設備３０に設置した水洗便器３５とダイニングが向かい合う等）に基づいて、警告情報を表示してもよい。
【００４１】
また、配置位置評価部１４９は、記憶部１３に予め記録された家具や集約設備３０等の望ましい位置関係を示す情報に基づいて、アドバイス情報を表示してもよい。例えば、記憶部１３には、集約設備３０と壁との適切な距離の範囲が記録されていて、ユーザ１Ａが配置した集約設備３０と壁との距離がその範囲以上に空いているようならば、集約設備３０をもう少し壁に近づけることをアドバイスするメッセージを表示してもよい。
また、配置位置評価部１４９は、集約設備３０等の配置の結果できた各空間について、何人ぐらいが同時に利用できる空間であるかを表示してもよい。
【００４２】
ユーザ１Ａは、居住空間のプランニングを行い、納得できるレイアウトが完成したら、そのレイアウトを保存する。例えば、表示画面に「保存ボタン」が表示されており、ユーザ１Ａは任意のタイミングで保存ボタンを押下する操作を行う。すると、制御部１４が、現在、表示画面に表示されている居住空間の間取り、集約設備画像３０Ａ、家具画像の設置位置や設置方向の情報（レイアウト情報）を記憶部１３に書き込んで保存する（ステップＳ１７）。ユーザ１Ａは、気に入ったレイアウト情報を複数保存しておき、その中から、最終的に採用するレイアウトを選択することができる。
【００４３】
本実施形態によれば、ユーザ１Ａは、配管の位置を気にすることなく水回り設備を所望の位置に配置することができるので、居住空間のプランニングにおける自由度が広がる。例えば、改築を行う場合、改築前の水回り設備の位置に関係なく、集約設備３０の位置を決定することができる。また、水廻り設備をコンパクトに集約した集約設備３０を利用することで、ユーザ１Ａは、居住空間を広く活用することができる。また、集約設備３０は、比較的移動が容易なため、本実施形態の表示装置１０を用いて適宜プランニングを行うことで、ユーザ１Ａは、家族構成やライフスタイルの変化に合わせて、継続的にレイアウトの変更を行うことができる。また、ユーザ１Ａは、自身が納得するまで、繰り返し、様々なレイアウトを試すことができるので、ユーザ１Ａは高い満足感を得られる。
【００４４】
次に、ユーザ１Ａがプランニングしたレイアウト情報をプランニング情報管理装置２０に送信する送信処理の流れについて説明する。
図９は、本発明の一実施形態における居住空間プランニングシステムの処理の一例を示すフローチャートである。
まず、表示装置１０において制御部１４が、設定情報又はレイアウト情報に変更があったかどうかを判定する（ステップＳ２１）。設定情報とは、図８のフローチャートのステップＳ１１〜ステップＳ１５でユーザ１Ａが入力した情報である。また、レイアウト情報とは、ステップＳ１７で保存した情報である。変更がない場合（ステップＳ２１；Ｎｏ）、変更が発生するまで待機する。変更があった場合（ステップＳ２１；Ｙｅｓ）、制御部１４は、変更があった情報を通信部１２に出力し、通信部１２に対して変更があった情報の送信を指示する。通信部１２は、変更があった情報をプランニング情報管理装置２０に送信する（ステップＳ２２）。
【００４５】
プランニング情報管理装置２０は、表示装置１０から送信された情報を受信し、受信した情報を自装置の記憶部に書き込んで保存する。次に、プランニング情報管理装置２０は、ユーザ１Ａがプランニング中の居住空間に設置する集約設備３０について、受注の可能性が高いかどうかを判定する（ステップＳ２４）。例えば、プランニング情報管理装置２０は、受注の確度を推定する推定モデルに基づいて、受注の可能性が高いかどうかを推定してもよい。あるいは、従業員２Ａが、表示装置１０から送信されるレイアウト情報等を参照して判断した受注の確度をプランニング情報管理装置２０に入力し、プランニング情報管理装置２０は入力された受注の確度に基づいて、受注の可能性が高いかどうかを判定してもよい。受注の可能性が高くない場合（ステップＳ２４；Ｎｏ）、プランニング情報管理装置２０は、表示装置１０から変更があった情報が次に送信されるまで待機する。受注の可能性が高い場合（ステップＳ２４；Ｙｅｓ）、プランニング情報管理装置２０は、ユーザ１Ａが、プランニング中に設定している集約設備３０の構成（どのような水回り設備を設置しているか）について、受注する可能性が高い受注予定情報として登録する（ステップＳ２５）。メーカでは、この受注予定情報を考慮しながら集約設備３０の生産管理や在庫管理を行うことができる。これにより、メーカは、納期の短縮を実現し、余剰在庫の発生や納期遅れを防ぐことができる。また、一般的な改築等では、施工業者が何度もユーザ１Ａの住居へ通ってユーザ１Ａの希望を聞いたり、現場で取り合いを調整したりしなければならないが、集約設備３０を利用して改築等を行う場合、ユニット化された集約設備３０を所望の位置に設置して、配管などは天井側を通してパイプシャフトに接続するだけなので、施工の手間を省力化することができる。この集約設備３０の特質および本実施形態の居住空間プランニングシステム１によれば、ユーザ１Ａは、他人の干渉を受けずに納得するまでプランニングを行うことができ、プランニングが確定したら、プランニング情報管理装置２０によるメーカ側の受注予測により集約設備３０を速やかに入手して、比較的簡便に改築等を済ますことができるので、改築等に掛かる期間全体を短縮化することができる。
【００４６】
なお、上記の実施形態では、表示装置１０側に、制御部１４の各機能を有するアプリケーションプログラムを実装する場合を例に説明を行ったが、例えば、メーカ側にプランニング機能提供用のサーバ端末装置を設置し、そのサーバ端末装置に制御部１４の各機能を有するアプリケーションプログラムを実装し、インターネット等のネットワークを介したＷｅｂサービスとして、ユーザ１Ａが所有するタブレット端末やＰＣ等に、居住空間のプランニング機能を提供する実施形態でもよい。
【００４７】
なお上述の表示装置１０、メーカ側に設置するプランニング機能提供用のサーバ端末装置、プランニング情報管理装置２０は内部に、コンピュータシステムを有している。そして、上述した表示装置１０等における各処理の過程は、プログラムの形式でコンピュータ読み取り可能な記録媒質に記憶されており、このプログラムをコンピュータが読み出して実行することによって、上記処理が行われる。ここでコンピュータ読み取り可能な記録媒質とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４８】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００４９】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。なお、表示装置１０やメーカ側に設置するサーバ端末装置は表示システムの一例であり、プランニング情報管理装置２０は受注予測システムの一例である。
【符号の説明】
【００５０】
１・・・居住空間プランニングシステム
１０・・・表示装置
１１・・・入出力部
１２・・・通信部
１３・・・記憶部
１４・・・制御部
１４１・・・居住空間表示部
１４２・・・集約設備決定部
１４３・・・集約設備画像生成部
１４４・・・集約設備表示部
１４５・・・家具表示部
１４６・・・変更部
１４７・・・空間区分表示部
１４８・・・支援情報表示部
１４９・・・配置位置評価部
１５０・・・提案情報表示部
２０・・・プランニング情報管理装置
３０・・・集約設備
３１・・・給排水管等
３２・・・圧送ポンプ
３３・・・起立ユニット
３４・・・天井ユニット
３５・・・水洗便器
３６・・・浴槽
１Ａ・・・ユーザ
２Ａ・・・従業員
【図１】
2018018278.tif 000003
【図２】
2018018278.tif 000004
【図３】
2018018278.tif 000005
【図４】
2018018278.tif 000006
【図５】
2018018278.tif 000007
【図６】
2018018278.tif 000008
【図７】
2018018278.tif 000009
【図８】
2018018278.tif 000010
【図９】
2018018278.tif 000011